(57)【特許請求の範囲】
【請求項１】
ハンドルからの操作力を受けて弁体を駆動する回転操作軸と、該回転操作軸を保持する軸ケースとを有し、該軸ケースは大径の円筒形状の本体部と、該本体部の軸端部より半径方向内方に向うケース肩部と、該ケース肩部に連続して軸方向に延びる、内周側に挿通孔を有する挿通部とを備える一方、前記回転操作軸は、前記軸ケースの本体部内面に回転摺動可能に嵌合する大径部と、該大径部の軸端部から前記ケース肩部に沿って半径方向内方に向う軸肩部と、該軸肩部に連続して軸方向に延び、前記挿通孔に挿通及び嵌合される軸部と、前記挿通部より外部に突出し前記ハンドルに連結されるハンドル連結部とを備えており、該回転操作軸が該ハンドル連結部に装着された止め輪と前記軸肩部とで前記ケース肩部及び挿通部を軸方向に挟み付ける状態に前記軸ケースに組み付けられて成る水栓器具の前記回転操作軸の固定構造であって、
前記軸ケース内部において前記軸肩部と前記ケース肩部との間にシールリングを介挿し、該シールリングを該軸肩部とケース肩部とにより軸方向に挟圧したことを特徴とする水栓器具における回転操作軸の固定構造。
【請求項２】
請求項１に記載の固定構造において、前記シールリングを前記軸肩部及びケース肩部の外周角部に介挿し、該シールリングを前記軸ケースの本体部内面に摺接させる状態で該軸肩部とケース肩部とにより軸方向に挟圧したことを特徴とする水栓器具における回転操作軸の固定構造。
【請求項３】
請求項２に記載の固定構造において、前記軸肩部には外周側の角部に沿って段違形状の凹部が形成されており、該凹部内に前記シールリングの一部が嵌込保持されていることを特徴とする水栓器具における回転操作軸の固定構造。
【請求項４】
請求項１〜３の何れかに記載の固定構造において、前記回転操作軸は湯水混合弁における温度調節操作用の回転操作軸であることを特徴とする水栓器具における回転操作軸の固定構造。
【発明の詳細な説明】
【０００１】
【発明の属する技術分野】
この発明は水栓器具における弁体を駆動する回転操作軸の軸ケースへの固定構造に関する。
【０００２】
【従来の技術】
この種水栓器具における回転操作軸の軸ケースへの固定構造として、従来Ｅリング等の止め輪を用いた固定構造が知られている。
図９はその一具体例を示している。
同図の例は、湯水混合弁における回転操作軸の固定構造の例で、図中２００は回転操作軸、２０２はこれを保持する軸ケースを示している。
【０００３】
この湯水混合弁の場合、回転操作軸２００に加えられた操作力が駆動部材２０６，バイアスばね２０８，２１０を介して弁体２０４に伝えられる。
弁体２０４はバイアスばね２１０，２０８とは反対側において感温ばね２１２による付勢力を受けており、回転操作軸２００を回転操作して駆動部材２０６をねじ送りで軸方向に進退させると、弁体２０４に働くバイアスばね２０８，２１０の付勢力が増減し、これに伴って弁体２０４が軸方向に駆動されて、水流入口２１８及び湯流入口２２０の開度を水側弁部２１４及び湯側弁部２１６により変化させる。
【０００４】
軸ケース２０２は大径の円筒形状の本体部２２２と、本体部２２２の軸端部より半径方向内方に向うケース肩部２２４と、ケース肩部２２４に連続して軸方向に延びる挿通部２２６を備えており、その挿通部２２６の内周側に円形の挿通孔２２８が形成されている。
【０００５】
一方回転操作軸２００は、本体部２０２の内面に回転摺動可能に嵌合する円筒部（大径部）２３０と、円筒部２３０の軸端部からケース肩部２２４に沿って半径方向内方に向う軸肩部２３２と、軸肩部２３２に連続して軸方向に延び、上記挿通孔２２８に挿通及び回転摺動可能に嵌合された軸部２３４と、挿通部２２６から外部に突出しハンドルに連結されるハンドル連結部２３６とを備えている。
【０００６】
このハンドル連結部２３６の外周面にはセレーション部２３８が形成されており、このセレーション部２３８においてハンドルに一体回転状態に連結されるようになっている。
【０００７】
回転操作軸２００における上記軸部２３４及び円筒部２３０の外周面には環状溝が形成されていて、それぞれにシールリングとしてのＯリング２４０が嵌込保持されており、それらＯリング２４０によって、円筒部２３０と軸ケース２０２の本体部２２２間及び軸部２３４と挿通孔２２８間が水密にシールされている。２４２は回転操作軸２００を軸ケース２０２に固定するためのＥリング等の止め輪で、ハンドル連結部２３６の付根部分に形成された環状溝２４４に弾性的に嵌着されている。
【０００８】
回転操作軸２００は、この止め輪２４２と軸肩部２３２とで軸ケース２０２におけるケース肩部２２４及び挿通部２２６を軸方向に挟み付ける状態で、軸ケース２０２に回転可能に組付固定されている。
【０００９】
ところでこのようにして止め輪２４２を用いて回転操作軸２００を軸ケース２０２に固定した場合、止め輪２４２と挿通部２２６との間若しくは軸肩部２３２とケース肩部２２４との間に隙間（遊び）が生じるのを避け得ない。
【００１０】
そこでこの遊びをなくすため、従来にあっては図に示しているように軸ケース２０２の外部において止め輪２４２と挿通部２２６との間にＯリング２４５を、断面コ字形状のワッシャ２４６により保持した状態で且つ軸方向に圧縮した状態で介挿し、上記止め輪２４２及び軸肩部２３２と軸ケース２０２との間に生ずる遊びを吸収するようにし、以ってがたつきなく回転操作軸２００を軸ケース２０２に固定するようにしている。
【００１１】
ここで断面コ字形状のワッシャ２４６を用いているのは、このようなワッシャ２４６を用いないで単にＯリング２４５を軸方向に圧縮しただけであると、Ｏリング２４５が軸方向の圧迫力によって半径方向にへたってしまい、この結果軸方向の弾性力が失われてしまってがたつき防止機能が低下ないし消失してしまうからである。
即ち断面コ字形状のワッシャ２４６の保持溝２４８内部にＯリング２４５を保持することによって、Ｏリング２４５のへたりを抑制し、軸方向の弾性力を維持している。
【００１２】
【発明が解決しようとする課題】
しかしながらこの固定構造の場合、回転操作軸２００の固定のために断面コ字形状の特殊なワッシャ２４６を必要とし、回転操作軸２００の固定のためのコストが増大してしまう問題がある。
また従来の固定構造の場合、Ｏリング２４０によって回転操作軸２００における円筒部２３０と軸ケース２０２の本体部２２２との間及び回転操作軸２００の軸部２３４と軸ケース２０２の挿通孔２２８との間をシールしているが、これらＯリング２４０もまた回転操作軸２００の回転に伴う摺動運動によって摩耗を生じ、これによりシール性が低下して漏水を生じる恐れがあった。
【００１３】
【課題を解決するための手段】
本発明の回転操作軸の固定構造はこのような課題を解決するために案出されたものである。
而して請求項１のものは、ハンドルからの操作力を受けて弁体を駆動する回転操作軸と、該回転操作軸を保持する軸ケースとを有し、該軸ケースは大径の円筒形状の本体部と、該本体部の軸端部より半径方向内方に向うケース肩部と、該ケース肩部に連続して軸方向に延びる、内周側に挿通孔を有する挿通部とを備える一方、前記回転操作軸は、前記軸ケースの本体部内面に回転摺動可能に嵌合する大径部と、該大径部の軸端部から前記ケース肩部に沿って半径方向内方に向う軸肩部と、該軸肩部に連続して軸方向に延び、前記挿通孔に挿通及び嵌合される軸部と、前記挿通部より外部に突出し前記ハンドルに連結されるハンドル連結部とを備えており、該回転操作軸が該ハンドル連結部に装着された止め輪と前記軸肩部とで前記ケース肩部及び挿通部を軸方向に挟み付ける状態に前記軸ケースに組み付けられて成る水栓器具の前記回転操作軸の固定構造であって、前記軸ケース内部において前記軸肩部と前記ケース肩部との間にシールリングを介挿し、該シールリングを該軸肩部とケース肩部とにより軸方向に挟圧したことを特徴とする。
【００１４】
請求項２のものは、請求項１に記載の固定構造において、前記シールリングを前記軸肩部及びケース肩部の外周角部に介挿し、該シールリングを前記軸ケースの本体部内面に摺接させる状態で該軸肩部とケース肩部とにより軸方向に挟圧したことを特徴とする。
【００１５】
請求項３のものは、請求項２に記載の固定構造において、前記軸肩部には外周側の角部に沿って段違形状の凹部が形成されており、該凹部内に前記シールリングの一部が嵌込保持されていることを特徴とする。
【００１６】
請求項４のものは、請求項１〜３の何れかに記載の固定構造において、前記回転操作軸は湯水混合弁における温度調節操作用の回転操作軸であることを特徴とする。
【００１７】
【作用及び発明の効果】
上記のように請求項１の固定構造は、軸ケース内部において軸肩部とケース肩部との間にシールリングを介挿して両肩部により軸方向に挟圧したもので、この固定構造によれば、上記図９に示す断面コ字形状の特殊なワッシャ２４６を用いることなくシールリングの弾発力を軸肩部とケース肩部との間に軸方向に作用させることができ、その弾発力によって軸肩部及び止め輪と軸ケースのケース肩部及び挿通部との間の軸方向の遊びを良好に吸収することができ、がたつきなく回転操作軸を軸ケースに組付固定することができる。
ここでシールリングとしてはＯリング，平パッキン等を用いることができる。
【００１８】
この軸肩部とケース肩部との間のシールリングは、また、図９に示すＯリング２４５と異なって回転操作軸と軸ケースとの間のシールも行う。
これにより回転操作軸と軸ケースとの間のシール機能が従来に増して高くなり、シールの信頼性が向上する利点が得られる。
【００１９】
請求項２の固定構造はシールリングを軸肩部及びケース肩部の外周角部に介挿し、シールリングを軸ケースの本体部内面に摺接させる状態で両肩部により軸方向に挟圧したもので、これにより軸ケース内部において回転操作軸と軸ケースの円筒部との間をシールリングによってシールすることができる。
【００２０】
この場合において、軸肩部における外周側の角部に沿って段違状の凹部を形成しておき、そこにシールリングの一部を嵌込保持するようになすことができ（請求項３）、このようにしておけば、シールリングを軸方向に圧迫した状態においてもシールリングが半径方向に拘束された状態にあり、従って軸方向の圧迫によってシールリングが半径方向にへたり変形するのを効果的に防止することができる。
【００２１】
本発明は、各種水栓器具における回転操作軸の固定構造として適用可能であるが、湯水混合弁における温度調節操作用の回転操作軸の固定構造として好適なものである（請求項４）。
【００２２】
【実施例】
次に本発明の実施例を図面に基づいて詳しく説明する。
図１において、１０はサーモスタット式の湯水混合弁で、軸ケース１２と弁ケース１４とを有しており、それらが軸方向端部でねじ結合されている。
１６は回転操作軸でセレーション部１８を有しており、そのセレーション部１８において回転ハンドルに一体回転状態に連結されるようになっている。
【００２３】
回転操作軸１６は、軸ケース１２の内部において大径の円筒部２０を有している。
この円筒部２０の内周面には雌ねじ部２２が形成されており、この雌ねじ部２２が、円筒形状をなす駆動部材２４の外周面の雄ねじ部２６に螺合されている。
駆動部材２４は後述の弁体３２を駆動するための部材で、回転操作軸１６の回転に伴って上記雌ねじ部２２と雄ねじ部２６とのねじ送りで軸方向、即ち図中左右方向に進退移動させられる。
【００２４】
上記弁ケース１４には、周方向に円弧状をなし且つ弁ケース１４を内外に貫通する水流入口２８及び湯流入口３０が軸方向に所定距離隔てて形成されている。
これら水流入口２８，湯流入口３０から弁ケース１４内部に流入した水と湯とは混合室３１で混合された上、図中左向きに流出する。
【００２５】
一方、弁ケース１４の内部には弁体３２が軸方向に摺動可能に嵌合されており、その弁体３２の軸方向移動によってそれら水流入口２８，湯流入口３０の開度が制御されるようになっている。
弁体３２は、円筒形状の水側弁部３４と円筒形状の湯側弁部３６とを有しており、それらが軸方向に離隔して設けられている。
一方弁ケース１４は、水側弁部３４と湯側弁部３６との間の部分が内方に突出しており、その突出部９２に水側弁座面４０と湯側弁座面４２とが形成されている。
【００２６】
水側弁部３４及び湯側弁部３６は、外周面に環状溝を有しており、それら環状溝にリング状のシール部材４４が装着され、それらシール部材４４が弁ケース１４の内周面に水密に且つ摺動可能に嵌合している。
これら水側弁部３４と湯側弁部３６とは、中心軸部３８において軸方向に互いに連絡されている。
【００２７】
ここで中心軸部３８は、図２にも示しているように断面十字形状をなしている。
即ち中心軸部３８は、中心から放射方向に突き出した板状部３９を有していて、それら板状部３９と３９との間に水，湯の通路を形成している。
この中心軸部３８は、各板状部３９の軸方向端部且つ外周部において湯側弁部３６に一体結合されている。即ちこの例において中心軸部３８と湯側弁部３６とは一体成形されている。
尚、本例において弁体３２はその全体が樹脂製とされている。
【００２８】
弁体３２は、図１中左向きの移動によって水側弁部３４が水側弁座面４０に当接して水流入口２８を遮断する一方、湯側弁部３６が湯側弁座面４２から大きく離隔して湯流入口３０の開度を大きくする。
また一方同図中右向きの移動によって湯側弁部３６が湯側弁座面４２に当接して湯流入口３０を遮断する一方、水側弁部３４が水側弁座面４０から大きく離隔して水流入口２８の開度を大きくする。
またそれらの中間位置において水流入口２８及び湯流入口３０を開き、且つその開度を変化させて水，湯の流入量を変化させる。
【００２９】
弁ケース１４の軸方向端部、詳しくは図１中左端部にはリング状の第一ばね受４６が、第一ばね受４６に形成された掛止爪４７と弁ケース１４に形成された掛止穴４８との掛止によって取り付けられており、その第一ばね受４６に形状記憶合金から成る感温ばね５０の一端部が当接している。
【００３０】
感温ばね５０の他端部は弁体３２に当接しており、弁体３２がその感温ばね５０によって図１中右向きに付勢されている。
ここで感温ばね５０は、混合室３１内の混合水温度の高低に応じてばね力を変化させる。即ち温度が高くなると付勢力を増大させ、また温度が低くなると付勢力を低下させる。
【００３１】
上記弁体３２には、主として引き棒としての働きをなす弁軸５２がねじ結合により組み付けられている。
詳しくは、弁体３２には水側弁部３４と湯側弁部３６との中間部において雌ねじ孔５４が中心軸部３８に形成されており、そこに弁軸５２の図中左端部の雄ねじ部５６がねじ結合されている。これにより弁体３２と弁軸５２とが軸方向に一体に移動するようになっている。
【００３２】
ここで弁軸５２は回転操作軸１６の逆方向回転により図中右向きに引き込まれ、湯側弁部３６を湯側弁座面４２に強制的に当接させる働きをなす。
【００３３】
上記駆動部材２４には、リング状の第二ばね受５８が組み付けられている。
第二ばね受５８は、周方向に１８０°隔たった２箇所において底部から軸方向に延び出す弾性アーム５９を有しており、その先端の掛止爪６０が、駆動部材２４の被掛止部６２に掛止されている。
ここで第二ばね受５８は、掛止爪６０を駆動部材２４の凹部６４に位置させた状態で、駆動部材２４に対し軸方向に相対移動可能とされている。
【００３４】
この第二ばね受５８の底部には、第一バイアスばね６６の一端部が当接している。
第一バイアスばね６６の他端部は、ストッパリング６８を介して駆動部材２４の端部且つ内向きのフランジ部７０に当接している。
【００３５】
７２は第二バイアスばねで、その一端部が上記水側弁部３４の内向きのフランジ部７６に、他端部が弁軸５２に摺動可能に嵌装された第三ばね受７４にそれぞれ当接している。
尚、水側弁部３４は湯側弁部３６とは別体に構成された上、湯側弁部３６と一体の断面十字形状の中心軸部３８に嵌合され、内向きのフランジ部７６がその中心軸部３８の先端に当接している。
【００３６】
本例では、ばね室７８内に収容された第一バイアスばね６６及び第二バイアスばね７２によって弁体３２が図中左向きに付勢され、また一方、混合室３１内の感温ばね５０によって図中右向きに付勢されている。
【００３７】
弁軸５２には、図中右端部に大径のフランジ状の頭部８０が設けられており、その頭部８０に工具係合用の係合溝８１が設けられている。
弁軸５２は、この係合溝８１に工具を係合させてこれを回転操作できるようになっている。
【００３８】
弁軸５２にはまた、軸方向中間部に中間フランジ部８２が設けられており、この中間フランジ部８２に、上記第三ばね受７４が図中右向きに当接するようになっている。
尚第二ばね受５８は、内径がこの中間フランジ部８２よりも大きくされており、中間フランジ部８２を軸方向に通過可能となっている。
また上記駆動部材２４は、内径が弁軸５２の上記頭部８０よりも大きくされている。
【００３９】
上記弁体３２における中心軸部３８の軸端部には切欠きが形成されていてそれら切欠きの間に、軸方向に延びる弾性片８４（図２，図４参照）が形成されている。またこの切欠きによって、上記混合室３１とばね室７８とを連通させる連通穴が形成されている。
これら弾性片８４の内面には、図２に示しているように内向きの掛合突起８６が設けられている。
この内向きの係合突起８６のそれぞれには、傾斜形状のカム面８８が形成されている。
【００４０】
一方上記弁軸５２にはその軸端部近傍、詳しくは雄ねじ部５６の隣接部位に、フランジ部が形成されていて、このフランジ部により外向きの掛合突起９０が構成されている。
【００４１】
これら弁体３２側の内向きの掛合突起８６と弁軸５２側の外向きの掛合突起９０とは、弁軸５２及び弁体３２のねじ結合状態の下で軸方向に掛合した状態にあり、その掛合作用によって弁軸５２が弁体３２から抜止めされている。
【００４２】
軸ケース１２は、図３に示しているように大径の円筒形状の本体部１１０と、本体部１１０の軸端部より半径方向内方に向うケース肩部１１２と、ケース肩部１１２に連続して軸方向に延びる挿通部１１４を備えている。挿通部１１４には内周側に円形の挿通孔１１６が形成されている。
【００４３】
一方回転操作軸１６は、本体部１１０の内面に回転摺動可能に嵌合する円筒部（大径部）２０と、円筒部２０の軸端部からケース肩部１１２に沿って半径方向内方に向う軸肩部１１８と、軸肩部１１８に連続して軸方向に延び、上記挿通孔１１６に挿通及び回転摺動可能に嵌合された軸部１２０と、挿通部１１４から外部に突出しハンドルに連結されるハンドル連結部１２２とを備えている。
このハンドル連結部１２２の外周面には上記のセレーション部１８が形成されている。
また回転操作軸１６の軸肩部１１８には外周角部に沿って段違形状の凹部１２４が環状に形成されている。
【００４４】
回転操作軸１６における上記軸部１２０及び円筒部２０の外周面には環状溝が形成されていて、それぞれにシールリングとしてのＯリング１２６が嵌込保持されており、それらＯリング１２６によって円筒部２０と軸ケース１２の本体部１１０間及び軸部１２０と挿通孔１１６間が水密にシールされている。
【００４５】
１３４は回転操作軸１６を軸ケース１２に固定するためのＥリング等の止め輪で、ハンドル連結部１２２の付根部分に形成された環状溝１３６（図６参照）に弾性的に嵌着されている。
【００４６】
回転操作軸１６は、この止め輪１３４と軸肩部１１８とで軸ケースにおけるケース肩部１１２及び挿通部１１４を、ワッシャ１３０及び１３２を介して、且つ軸肩部１１８とケース肩部１１２との間に介装したシールリングとしてのＯリング１２８を介して軸方向に挟み付ける状態に軸ケース１２に回転可能に組付固定されている。
【００４７】
ここでＯリング１２８は、軸肩部１１８の外周側角部に沿って環状に形成された段違形状の凹部１２４内にその一部が嵌り込んだ状態に保持されており、即ちＯリング１２８は段違形状の凹部１２４と軸ケース１２の本体部１１０の内面とによって三方の面を拘束された状態で軸肩部１１８とケース肩部１１２とにより本体部１１０内面に摺接した状態で軸方向に圧迫されている。
【００４８】
本例の湯水混合弁１０では、回転操作軸１６を回転（正方向回転）操作すると駆動部材２４が図１中左向きに前進移動する。
これによって弁体３２を図１中左向きに付勢する第一バイアスばね６６及び第二バイアスばね７２の付勢力が強まって、弁体３２が図中左方向にシフトさせられる。
【００４９】
弁体３２が左向きにシフトした状態において、第一バイアスばね６６及び第二バイアスばね７２の左向きの付勢力と、感温ばね５０による右向きの付勢力とは釣り合った状態にあり、その状態で水流入口２８及び湯流入口３０から流入する水と湯の混合水温度が変動すると、これに伴って感温ばね５０が付勢力を増減させて弁体３２を左右方向に微動させる。これにより混合水温度が設定温度に維持される。
【００５０】
また一方回転操作軸１６を逆方向に回転操作すると、駆動部材２４が図中右向きに移動して、第一バイアスばね６６及び第二バイアスばね７２の付勢力が低下し、これにより弁体３２が図中右向きにシフトさせられる。そしてそのシフト位置において感温ばね５０の温度感知に基づく付勢力の増減によって混合水温度が調節される。
【００５１】
本例の湯水混合弁１０では、弁体３２を図中左向きに押動する際には回転操作軸１６の操作力を駆動部材２４，第一バイアスばね６６，第二バイアスばね７２を介して弁体３２に作用させる。
一方、弁体３２に対する図中右向きの押動力は感温ばね５０によって加えられる。
而してその感温ばね５０による押動力は混合水温度が低いときには弱くなり、湯側弁部３６を湯側弁座面４２に当接させて湯の流入を完全に遮断する上で不十分となる場合がある。
【００５２】
このとき回転操作軸１６を逆方向に回転させると、その操作力が駆動部材２４，第二ばね受５８，第一バイアスばね６６，ストッパリング６８を介して弁軸５２の頭部８０に作用する。即ち弁軸５２に図中右向きの引込力が加えられ、これにより湯側弁部３６が強制的に湯側弁座面４２に当接させられて、湯流入口３０が完全に遮断される。
【００５３】
本例の湯水混合弁１０の場合、弁ケース１４における水側弁部３４と湯側弁部３６との間の部分が内方に突出し、それら水側弁部３４と湯側弁部３６との間に水側弁座面４０及び湯側弁座面４２が形成されている関係上、弁体３２を予め一体に成形しておくと弁体３２の組付けができなくなる。
また同様に弁軸５２を弁体３２に一体成形しておくと、第三ばね受７４その他部材の組付けができなくなる。
【００５４】
そこで本例では、弁体３２における水側弁部３４と湯側弁部３６とが別体且つ分離構成とされた上、互いに組み付けられ、また同様に弁軸５２が弁体３２と別体に構成されて互いに組み付けられるようになっている。
【００５５】
図４ないし図７は本例の湯水混合弁１０における組付手順を表している。以下これらの図に従って本例の湯水混合弁１０の組付手順を説明する。
先ず図４に示しているように弁軸５２とストッパリング６８，第一バイアスばね６６，第二ばね受５８，第三ばね受７４及び駆動部材２４を組み付ける。そしてその状態で図５に示しているように更に第二バイアスばね７２及び水側弁部３４を組み付ける。
【００５６】
また一方、これとは別に中心軸部３８と一体の湯側弁部３６，感温ばね５０及び第一ばね受４６を組み合せ、それらを弁ケース１４に対し互いに逆方向から挿入する。
そして弁軸５２の雄ねじ部５６を弁体３２の雌ねじ孔５４、つまり湯側弁部３６と一体の中心軸部３８に形成してある雌ねじ孔５４にねじ込み、各部材を結合するとともにそれらを弁ケース１４内部に組み付ける。
【００５７】
このとき、即ち雄ねじ部５６を雌ねじ孔５４にねじ込む際、弁軸５２をその軸端の頭部８０において回転操作することとなる。
その回転操作によって弁軸５２の雄ねじ部５６が、中心軸部３８の雌ねじ孔５４内部にねじ込まれて行くが、あるところで弁軸５２の外向きの掛合突起９０が弁体３２の内向きの掛合突起８６に当接する。
【００５８】
そして更に弁軸５２をねじ込んで行くと、内向きの掛合突起８６、つまり弾性片８４を外向きに弾性変形させながら弁軸５２の外向きの掛合突起９０が内向きの掛合突起８６を乗り越え、ここにおいて雄ねじ部５６が雌ねじ孔５４に完全にねじ結合されるとともに、外向きの掛合突起９０が内向きの掛合突起８６を乗り越えた段階でそれら掛合突起９０，８６同士が軸方向に掛合した状態となり、ここにおいて弁軸５２の弁体３２からの抜けが防止される。
【００５９】
尚、一方の掛合突起９０が他方の掛合突起８６を乗り越える際、掛合突起８６にはカム面８８が形成されており且つ掛合突起８６は弾性片８４に形成されているため、掛合突起９０が容易に掛合突起８６を軸方向に乗り越えることができる。
【００６０】
上記のようにして弁軸５２，弁体３２，弁ケース１４等を組み付けた後又はこれに先立って、図６に示しているように回転操作軸１６を軸ケース１２に組み付けておき、その後図７に示しているように軸ケース１２を弁ケース１４にねじ結合することで、図１に示す湯水混合弁１０全体を組付状態とすることができる。
【００６１】
以上のような本例の固定構造によれば、上記図９に示す断面コ字形状の特殊なワッシャ２４６を用いることなくＯリング１２８の弾発力を軸肩部１１８とケース肩部１１２との間で軸方向に作用させることができ、その弾発力によって軸肩部１１８及び止め輪１３４と軸ケース１２のケース肩部１１２及び挿通部１１４との間の軸方向の遊びを良好に吸収することができ、がたつきなく回転操作軸１６を軸ケース１２に組付固定することができる。
【００６２】
この軸肩部１１８とケース肩部１１２との間のＯリング１２８はまた、軸ケース１２の本体部１１０内面にも摺接しており、図９に示すＯリング２４５と異なって回転操作軸１６と軸ケース１２との間のシールも行う。
これにより回転操作軸１６と軸ケース１２との間のシール機能が従来に増して高くなり、シールの信頼性が向上する。
【００６３】
また本例では、Ｏリング１２８が軸方向に圧迫された状態で半径方向に拘束されており、従って軸方向の圧迫によってＯリング１２８が半径方向にへたり変形するのが効果的に防止される。
【００６４】
図８は本発明の他の実施例を示したもので、図中（Ａ）の例はケース肩部１１２の内面に環状溝１３８を設けて、そこにシールリングとしてのＯリング１４０を嵌込装着し、これをケース肩部１１２と軸肩部１１８とで軸方向に圧迫するようになした例である。
尚１４２はワッシャである。
【００６５】
一方（Ｂ）の例はケース肩部１１２の内周側角部に環状溝１４４を形成し、そこにシールリングとしてのＯリング１４６を嵌込装着し、これをケース肩部１１２と軸肩部１１８とにより軸方向に挟圧したものである。
ここでＯリング１４６は軸部１２０の外周面に摺接し、軸ケース１０と回転操作軸１６との間をシールしている。
尚、１４８はワッシャである。
【００６６】
以上本発明の実施例を詳述したがこれらはあくまで一例示であり、本発明はシールリングとしてＯリングの他に平パッキン等を用いることも可能である等、その主旨を逸脱しない範囲において種々変更を加えた形態で構成可能である。
【図面の簡単な説明】
【図１】本発明の一実施例である湯水混合弁を組付完了状態で示す図である。
【図２】同じ実施例の湯水混合弁の要部を各部に分解して示す一部切欠斜視図である。
【図３】同じ実施例の湯水混合弁の図２とは異なる要部を各部に分解して示す一部切欠斜視図である。
【図４】同じ実施例の湯水混合弁の組付手順の第一のステップを説明する説明図である。
【図５】同じ実施例の湯水混合弁の組付手順の図４に続くステップの説明図である。
【図６】同じ実施例の湯水混合弁の組付手順の図４及び図５とは別のステップの説明図である。
【図７】同じ実施例の湯水混合弁の組付手順の図４，図５，図６に続くステップの説明図である。
【図８】本発明の他の実施例の要部を示す図である。
【図９】従来の湯水混合弁の図である。
【符号の説明】
１０  湯水混合弁
１２  軸ケース
１６  回転操作軸
２０  円筒部
３２  弁体
１１０  本体部
１１２  ケース肩部
１１４  挿通部
１１６  挿通孔
１１８  軸肩部
１２０  軸部
１２２  ハンドル連結部
１２４  凹部
１２６，１２８，１４０  １４６  Ｏリング
１３４  止め輪
【図１】
0003600068.tif 000002
【図２】
0003600068.tif 000003
【図３】
0003600068.tif 000004
【図４】
0003600068.tif 000005
【図５】
0003600068.tif 000006
【図６】
0003600068.tif 000007
【図７】
0003600068.tif 000008
【図８】
0003600068.tif 000009
【図９】
0003600068.tif 000010